【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
画像を形成する画像形成部と、
前記画像形成部に用紙を供給する給紙部と、
接続される後処理装置へ用紙を排紙する排紙部と、
接続される前記後処理装置と通信する画像形成装置通信部と、
前記画像形成部、前記給紙部および前記排紙部を制御する画像形成装置制御部とを有する画像形成装置において、
前記後処理装置の設定情報は、用紙間隔情報と搬送速度情報であり、
前記画像形成装置制御部は、前記画像形成装置通信部を介して前記後処理装置から受信した前記後処理装置の設定情報に基づき前記画像形成部、前記給紙部および前記排紙部を制御することを特徴とする画像形成装置。
【請求項２】
前記画像形成部、前記給紙部および前記排紙部の制御は、前記画像形成部における画像形成タイミングおよび前記給紙部における給紙タイミングの制御による用紙間隔の制御であると共に、前記排紙部での用紙の搬送速度を前記後処理装置の搬送速度に変更する制御であることを特徴とする請求項１に記載の画像形成装置。
【請求項３】
前記画像形成装置制御部は、前記設定情報の送信要求および該送信要求に基づく前記設定情報の受信を行うように前記画像形成装置通信部を制御することを特徴とする請求項１に記載の画像形成装置。
【請求項４】
前記設定情報は、最大処理サイズ情報および最大処理可能枚数情報を含むことを特徴とする請求項１に記載の画像形成装置。
【請求項５】
前記画像形成装置制御部は、受信した前記最大処理可能枚数情報と設定された処理要求枚数とに基づき異常な設定に係る検知を行うことを特徴とする請求項４に記載の画像形成装置。
【請求項６】
前記画像形成装置制御部は、受信した前記最大処理可能枚数情報と設定された処理要求枚数とに基づき異常な設定に係る警告を行うことを特徴とする請求項４に記載の画像形成装置。
【請求項７】
前記画像形成装置制御部は、受信した最大処理サイズ情報と設定された用紙サイズとに基づき異常な設定の検知を行うことを特徴とする請求項４に記載の画像形成装置。
【請求項８】
前記画像形成装置制御部は、受信した最大処理サイズ情報と設定された用紙サイズとに基づき異常な設定に係る警告を行なうことを特徴とする請求項４に記載の画像形成装置。
【請求項９】
用紙に画像を形成する画像形成装置と、前記画像形成装置にて画像形成された用紙に後処理を行う後処理装置を有する画像形成システムにおいて、
前記画像形成装置は、
画像を形成する画像形成部と、
前記画像形成部に用紙を供給する給紙部と、
接続される前記後処理装置へ用紙を排紙する排紙部と、
接続される前記後処理装置と通信する画像形成装置通信部と、
前記画像形成部、前記給紙部および前記排紙部を制御する画像形成装置制御部とを有し、
前記後処理装置は、接続される画像形成装置と通信する後処理装置通信部と、前記後処理装置を制御するための設定情報を有し、
前記後処理装置の設定情報は、用紙間隔情報と搬送速度情報であり、
前記画像形成装置制御部は、前記画像形成装置通信部を介して前記後処理装置の後処理装置通信部から受信した前記後処理装置の設定情報に基づき前記画像形成部、前記給紙部および前記排紙部を制御することを特徴とする画像形成システム。
【請求項１０】
前記画像形成部、前記給紙部および前記排紙部の制御は、前記画像形成部における画像形成タイミングおよび前記給紙部における給紙タイミングの制御による用紙間隔の制御であると共に、前記排紙部での用紙の搬送速度を後処理装置の搬送速度に変更する制御であることを特徴とする請求項９に記載の画像形成システム。
【請求項１１】
前記画像形成装置制御部は、前記設定情報の送信要求および該送信要求に基づく前記設定情報の受信を行うように前記画像形成装置通信部を制御することを特徴とする請求項９に記載の画像形成システム。
【請求項１２】
前記設定情報は、最大処理サイズ情報および最大処理可能枚数情報を含むことを特徴とする請求項９に記載の画像形成システム。
【請求項１３】
前記画像形成装置制御部は、受信した前記最大処理可能枚数情報と設定された処理要求枚数とに基づき異常な設定に係る検知を行うことを特徴とする請求項１２に記載の画像形成システム。
【請求項１４】
前記画像形成装置制御部は、受信した前記最大処理可能枚数情報と設定された処理要求枚数とに基づき異常な設定に係る警告を行うことを特徴とする請求項１２に記載の画像形成システム。
【請求項１５】
前記画像形成装置制御部は、受信した最大処理サイズ情報と設定された用紙サイズとに基づき異常な設定の検知を行うことを特徴とする請求項１２に記載の画像形成システム。
【請求項１６】
前記画像形成装置制御部は、受信した最大処理サイズ情報と設定された用紙サイズとに基づき異常な設定に係る警告を行なうことを特徴とする請求項１２に記載の画像形成システム。
【請求項１７】
用紙を積載する積載部と、
前記積載部から前記用紙を１枚ずつ給紙する給紙ローラと、
給紙された用紙を接続された後処理装置に搬送する搬送部と
前記後処理装置の用紙に係る設定情報を受信する給紙装置通信部と、
前記搬送部を制御する給紙装置制御部と、を有する給紙装置において、
前記設定情報は、前記後処理装置の用紙間隔情報及び搬送速度情報であり、
前記給紙装置制御部は、前記設定情報に基づき前記搬送部を制御することを特徴とする給紙装置。
【請求項１８】
前記搬送部の制御は、前記搬送部における給紙タイミングの制御による用紙間隔の制御であると共に、前記搬送部での用紙の搬送速度を前記後処理装置の搬送速度に変更する制御であることを特徴とする請求項１７に記載の給紙装置。
【請求項１９】
用紙を給紙する給紙装置と、前記給紙装置から給紙された用紙に後処理を行う後処理装置を有する後処理システムにおいて、
前記給紙装置は、
用紙を積載する積載部と、
接続された前記後処理装置に前記積載部から前記用紙を１枚ずつ給紙する給紙ローラと、
給紙された用紙を接続された前記後処理装置に搬送する搬送部と、
前記後処理装置の用紙に係る設定情報を受信する給紙装置通信部と、
前記搬送部を制御する給紙装置制御部とを有し、
前記設定情報は、前記後処理装置の用紙間隔情報及び搬送速度情報であり、
前記給紙装置制御部は、前記設定情報に基づき前記搬送部を制御することを特徴とする後処理システム。
【請求項２０】
前記搬送部の制御は、前記搬送部における給紙タイミングの制御による用紙間隔の制御であると共に、前記搬送部での用紙の搬送速度を前記後処理装置の搬送速度に変更する制御であることを特徴とする請求項１９に記載の後処理システム。
【手続補正２】
【補正対象書類名】明細書
【補正対象項目名】００１６
【補正方法】変更
【補正の内容】
【００１６】
１．画像を形成する画像形成部と、
前記画像形成部に用紙を供給する給紙部と、
接続される後処理装置へ用紙を排紙する排紙部と、
接続される前記後処理装置と通信する画像形成装置通信部と、
前記画像形成部、前記給紙部および前記排紙部を制御する画像形成装置制御部とを有する画像形成装置において、
前記後処理装置の設定情報は、用紙間隔情報と搬送速度情報であり、
前記画像形成装置制御部は、前記画像形成装置通信部を介して前記後処理装置から受信した前記後処理装置の設定情報に基づき前記画像形成部、前記給紙部および前記排紙部を制御することを特徴とする画像形成装置。
【手続補正３】
【補正対象書類名】明細書
【補正対象項目名】００１８
【補正方法】変更
【補正の内容】
【００１８】
３．前記画像形成装置制御部は、前記設定情報の送信要求および該送信要求に基づく前記設定情報の受信を行うように前記画像形成装置通信部を制御することを特徴とする１に記載の画像形成装置。
【手続補正４】
【補正対象書類名】明細書
【補正対象項目名】００２０
【補正方法】変更
【補正の内容】
【００２０】
５．前記画像形成装置制御部は、受信した前記最大処理可能枚数情報と設定された処理要求枚数とに基づき異常な設定に係る検知を行うことを特徴とする４に記載の画像形成装置。
【手続補正５】
【補正対象書類名】明細書
【補正対象項目名】００２１
【補正方法】変更
【補正の内容】
【００２１】
６．前記画像形成装置制御部は、受信した前記最大処理可能枚数情報と設定された処理要求枚数とに基づき異常な設定に係る警告を行うことを特徴とする４に記載の画像形成装置。
【手続補正６】
【補正対象書類名】明細書
【補正対象項目名】００２２
【補正方法】変更
【補正の内容】
【００２２】
７．前記画像形成装置制御部は、受信した最大処理サイズ情報と設定された用紙サイズとに基づき異常な設定の検知を行うことを特徴とする４に記載の画像形成装置。
【手続補正７】
【補正対象書類名】明細書
【補正対象項目名】００２３
【補正方法】変更
【補正の内容】
【００２３】
８．前記画像形成装置制御部は、受信した最大処理サイズ情報と設定された用紙サイズとに基づき異常な設定に係る警告を行なうことを特徴とする４に記載の画像形成装置。
【手続補正８】
【補正対象書類名】明細書
【補正対象項目名】００２４
【補正方法】変更
【補正の内容】
【００２４】
９．用紙に画像を形成する画像形成装置と、前記画像形成装置にて画像形成された用紙に後処理を行う後処理装置を有する画像形成システムにおいて、
前記画像形成装置は、
画像を形成する画像形成部と、
前記画像形成部に用紙を供給する給紙部と、
接続される前記後処理装置へ用紙を排紙する排紙部と、
接続される前記後処理装置と通信する画像形成装置通信部と、
前記画像形成部、前記給紙部および前記排紙部を制御する画像形成装置制御部とを有し、
前記後処理装置は、接続される画像形成装置と通信する後処理装置通信部と、前記後処理装置を制御するための設定情報を有し、
前記後処理装置の設定情報は、用紙間隔情報と搬送速度情報であり、
前記画像形成装置制御部は、前記画像形成装置通信部を介して前記後処理装置の後処理装置通信部から受信した前記後処理装置の設定情報に基づき前記画像形成部、前記給紙部および前記排紙部を制御することを特徴とする画像形成システム。
【手続補正９】
【補正対象書類名】明細書
【補正対象項目名】００２６
【補正方法】変更
【補正の内容】
【００２６】
１１．前記画像形成装置制御部は、前記設定情報の送信要求および該送信要求に基づく前記設定情報の受信を行うように前記画像形成装置通信部を制御することを特徴とする９に記載の画像形成システム。
【手続補正１０】
【補正対象書類名】明細書
【補正対象項目名】００２８
【補正方法】変更
【補正の内容】
【００２８】
１３．前記画像形成装置制御部は、受信した前記最大処理可能枚数情報と設定された処理要求枚数とに基づき異常な設定に係る検知を行うことを特徴とする１２に記載の画像形成システム。
【手続補正１１】
【補正対象書類名】明細書
【補正対象項目名】００２９
【補正方法】変更
【補正の内容】
【００２９】
１４．前記画像形成装置制御部は、受信した前記最大処理可能枚数情報と設定された処理要求枚数とに基づき異常な設定に係る警告を行うことを特徴とする１２に記載の画像形成システム。
【手続補正１２】
【補正対象書類名】明細書
【補正対象項目名】００３０
【補正方法】変更
【補正の内容】
【００３０】
１５．前記画像形成装置制御部は、受信した最大処理サイズ情報と設定された用紙サイズとに基づき異常な設定の検知を行うことを特徴とする１２に記載の画像形成システム。
【手続補正１３】
【補正対象書類名】明細書
【補正対象項目名】００３１
【補正方法】変更
【補正の内容】
【００３１】
１６．前記画像形成装置制御部は、受信した最大処理サイズ情報と設定された用紙サイズとに基づき異常な設定に係る警告を行なうことを特徴とする１２に記載の画像形成システム。
【手続補正１４】
【補正対象書類名】明細書
【補正対象項目名】００３２
【補正方法】変更
【補正の内容】
【００３２】
１７．用紙を積載する積載部と、
前記積載部から前記用紙を１枚ずつ給紙する給紙ローラと、
給紙された用紙を接続された後処理装置に搬送する搬送部と
前記後処理装置の用紙に係る設定情報を受信する給紙装置通信部と、
前記搬送部を制御する給紙装置制御部と、を有する給紙装置において、
前記設定情報は、前記後処理装置の用紙間隔情報及び搬送速度情報であり、
前記給紙装置制御部は、前記設定情報に基づき前記搬送部を制御することを特徴とする給紙装置。
【手続補正１５】
【補正対象書類名】明細書
【補正対象項目名】００３４
【補正方法】変更
【補正の内容】
【００３４】
１９．用紙を給紙する給紙装置と、前記給紙装置から給紙された用紙に後処理を行う後処理装置を有する後処理システムにおいて、
前記給紙装置は、
用紙を積載する積載部と、
接続された前記後処理装置に前記積載部から前記用紙を１枚ずつ給紙する給紙ローラと、
給紙された用紙を接続された前記後処理装置に搬送する搬送部と、
前記後処理装置の用紙に係る設定情報を受信する給紙装置通信部と、
前記搬送部を制御する給紙装置制御部とを有し、
前記設定情報は、前記後処理装置の用紙間隔情報及び搬送速度情報であり、
前記給紙装置制御部は、前記設定情報に基づき前記搬送部を制御することを特徴とする後処理システム。
【手続補正１６】
【補正対象書類名】明細書
【補正対象項目名】００４８
【補正方法】変更
【補正の内容】
【００４８】
画像形成装置１は、積載された原稿を１枚ずつ取り出して読取位置に搬送した後に排紙する自動原稿搬送装置２、読取位置で原稿の画像を読み取る画像読取装置３、読み取った画像データに基づきトナー像を形成する画像形成部４、給紙トレイから所定のサイズの用紙を１枚ずつ取り出して給紙する給紙部Ｄと、給紙部Ｄから給紙した用紙を、トナー像を転写する転写位置に搬送する搬送部５、トナー像を用紙に定着する定着装置３９、画像を担持した用紙を排紙する排紙部６、用紙を反転させて再度、転写位置に搬送する反転搬送部７、オペレータが画像形成条件を入力したり各種の表示を行うためのタッチパネルおよび操作スイッチ等で構成された操作パネル１０、および、上述した各部を制御する制御部Ａを有している。制御部Ａは本発明における画像形成装置制御部として機能する。
【手続補正１７】
【補正対象書類名】明細書
【補正対象項目名】００４９
【補正方法】変更
【補正の内容】
【００４９】
前記制御部Ａは、中央演算子ＣＰＵ−１、画像形成の制御プログラムや通信制御に係るプログラム等を記憶したリードオンリーメモリＲＯＭ１、書き替え可能なランダムアクセスメモリＲＡＭ１、および後処理装置８と通信を行う通信部Ｃ１等で構成されている。前記制御部Ａは、上述した各部を制御する。通信部Ｃ１は本発明における画像形成装置通信部として機能する。
【手続補正１８】
【補正対象書類名】明細書
【補正対象項目名】００８３
【補正方法】変更
【補正の内容】
【００８３】
そして、後処理装置８の制御部Ｂは、ＣＰＵ−２、後処理の制御プログラムや通信制御に係るプログラム等を記憶したＲＯＭ２、画像形成装置１と通信を行う通信部Ｃ２、および給紙装置９と通信を行う通信部Ｃ４等で構成され、上述した各部を制御している。通信部Ｃ２は本発明における後処理装置通信部として機能する。
【手続補正１９】
【補正対象書類名】明細書
【補正対象項目名】００８６
【補正方法】変更
【補正の内容】
【００８６】
また、後処理装置８の通信部Ｃ４は給紙装置９の通信部Ｃ３に接続され、制御部Ｂは、給紙装置９からの後処理装置の設定情報の送信依頼に応じ、用紙間隔情報、搬送速度情報、最大処理可能枚数情報及び最大処理サイズ情報等の後処理装置の設定情報をＲＯＭ２から読み出し、通信部Ｃ４および通信部Ｃ３を介して給紙装置９の制御部Ｃに送信する。通信部Ｃ３は本発明における給紙装置通信部として機能し、制御部Ｃは本発明における給紙装置制御部として機能する。